(57)【特許請求の範囲】
【請求項１】
並べて配置された複数の電池モジュールと、
これらの複数の前記電池モジュールを支持するトレイと、
前記電池モジュールのそれぞれに対応して前記トレイに形成された支持部と、
前記電池モジュールから前記支持部の頂部に架け渡されたブラケットと、
前記ブラケットを前記支持部に固定するボルトと、を備える電池パックであって、
前記ブラケットは、前記ボルトの雄ネジ部とは接触しない程度の内径を有する雌ネジ部が形成された貫通穴を有し、
前記支持部は、前記ボルトの雄ネジ部に適合する雌ネジ部が形成された固定穴を有し、
前記貫通穴は、前記固定穴と同軸に配置され、
前記ボルトは、前記貫通穴を通した状態で前記固定穴に螺合される
ことを特徴とする電池パック。
【請求項２】
前記ブラケットは、前記電池モジュールの重心を鉛直に通る中心線に対して対称となる一対に配置され、前記貫通穴の中心を結ぶ線分が前記中心線に対してオフセットされた位置に前記貫通穴を有する
ことを特徴とする請求項１に記載された電池パック。
【請求項３】
前記ブラケットは、前記電池モジュールの重心を鉛直に通る中心線に対称かつ前記中心線に沿って前記重心よりも低い位置に一対に配置される
ことを特徴とする請求項１または請求項２に記載された電池パック。
【請求項４】
並べて配置された複数の電池モジュールと、
これらの複数の前記電池モジュールを支持するトレイと、
前記電池モジュールのそれぞれに対応して前記トレイに形成されて第１の雌ネジ部が形成された固定穴が頂部に開口された支持部と、
前記電池モジュールから前記支持部の前記頂部に架け渡され前記固定穴に同軸に配置された貫通穴に前記第１の雌ネジ部の谷径よりも大きい内径を有した第２の雌ネジ部が形成されたブラケットと、
前記第１の雌ネジ部に適合する雄ネジ部を有し前記貫通穴に通された状態で前記固定穴に螺合され前記ブラケットを前記支持部に固定するボルトと、
を備える電池パックの少なくとも１つの前記電池モジュールを取り換える電池モジュール交換方法であって、
交換対象の前記電池モジュールに対応した前記固定穴から前記ボルトを取外し、
前記第２の雌ネジ部に適合するジャッキボルトを前記貫通穴に上方から装着し、
前記ジャッキボルトを捩じ込むことで前記電池モジュールを傾ける
ことを特徴とする電池モジュール交換方法。
【請求項５】
前記ブラケットは、前記電池モジュールの重心を鉛直に通る中心線に対して対称となる一対に配置されて、それぞれの前記貫通穴の中心を結ぶ線分が前記中心線に対してオフセットされる位置に前記貫通穴を有し、
前記ジャッキボルトを前記貫通穴に捩じ込むことで、前記中心線に対して前記貫通穴がオフセットされた方向と反対の方向へ交換対象の前記電池モジュールを傾ける
ことを特徴とする請求項４に記載された電池モジュール交換方法。
【請求項６】
前記ブラケットは、前記電池モジュールの重心を鉛直に通る中心線に対称となる一対にかつ前記中心線に沿って前記重心よりも低い位置に配置された前記貫通穴を有し、
前記ジャッキボルトを前記貫通穴に捩じ込み、前記電池モジュールを傾倒させたい方向へ押すことで、前記電池モジュールを傾ける
ことを特徴とする請求項４に記載された電池モジュール交換方法。
【請求項７】
交換対象の前記電池モジュールを傾ける側に他の前記電池モジュールが配置されている場合は、交換対象の前記電池モジュールを傾ける前に他の前記電池モジュールを交換対象の前記電池モジュールと同じ方法で傾ける
ことを特徴とする請求項４から請求項６のいずれか１項に記載された電池モジュール交換方法。
【発明の詳細な説明】
【技術分野】
【０００１】
本発明は、複数の電池モジュールを内蔵する電池パック及び電池モジュール交換方法に関する。
【背景技術】
【０００２】
車両の電気系統に電力を供給するためにバッテリが搭載される。特許文献１に記載されたバッテリ保持装置によれば、バッテリを乗せるバッテリトレーとこのバッテリトレーを乗せる保持面を有するバッテリ保持部材を備えており、バッテリを取り外す場合、周囲の機器に干渉することなくバッテリを傾斜させて取り外せる構造を有している。
【０００３】
また、電動車両においては駆動モータに電力を供給するための駆動用バッテリが搭載される。特許文献２に記載された車両用電池パックは、車体の下部に設置されるケースの中に複数の電池モジュールを有している。各電池モジュールは複数の電池セルで構成されている。ケースは、電池モジュールを配置したトレイと、電池モジュールを覆うようにトレイに装着されるカバーとで構成される。各電池モジュールは、トレイ内に設けられたボスに対してブラケットを介して固定されている。
【先行技術文献】
【特許文献】
【０００４】
【特許文献１】特開２０１２−２０１３１８号公報
【特許文献２】特開２０１５−０４３３３６号公報
【発明の概要】
【発明が解決しようとする課題】
【０００５】
バッテリや電池パックの電池セルは、経年劣化のために交換する必要が生じる。その際、特許文献１のような構造を有していれば、バッテリを取り出してそのまま新しいものに交換すればよい。しかし、特許文献２のような電池パックの場合、劣化した電池セルを単独で取り出して交換することはできない。また、電池パック内の全ての電池セルが同時に交換される対象となる訳ではない。つまり、通常のメンテナンスなどにおいて電池セルの交換が必要となった場合、交換される最小単位は電池モジュールとなる。このとき、電池パックは、占有容積を小さくするために内部の積載密度を高めている、つまり複数の電池モジュールが互いに接近して配置されている。そのため、交換するべき電池モジュールを取り外す際に作業者が手を差し入れる隙間を確保するなどのために、その隣やさらにその隣の電池モジュールも含めて分解してずらすあるいは傾けたまま保持するなどの作業が必要となり、作業性が悪い。
【０００６】
そこで、本発明は、複数搭載される電池モジュールのいずれか１つを取り換える作業を効率よく行える構造を有した電池パック及び、この電池パックにおいて少なくとも１つの電池モジュールを交換する電池モジュール交換方法を提供する。
【課題を解決するための手段】
【０００７】
本発明に係る一実施形態の電池パックは、複数の電池モジュールとトレイと支持部とブラケットとボルトとを備える。複数の電池モジュールは、並べて配置される。トレイは、これらの複数の電池モジュールを支持する。支持部は、電池モジュールのそれぞれに対応してトレイに形成されている。ブラケットは、電池モジュールから支持部の頂部に架け渡される。ボルトは、ブラケットを支持部に固定する。そして、ブラケットは、ボルトの雄ネジ部とは接しない程度の内径の雌ネジ部が形成された貫通穴を有している。支持部は、ボルトの雄ネジ部に適合する雌ネジ部が形成された固定穴を有している。貫通穴は、固定穴と同軸に配置される。ボルトは貫通穴を通した状態で固定穴に螺合される。
【０００８】
このとき、ブラケットは、電池モジュールの重心を鉛直に通る中心線に対して対称となる一対に配置され、貫通穴の中心を結ぶ線分が中心線に対してオフセットされた位置に貫通穴を有していることも好ましい。また、ブラケットは、電池モジュールの重心を鉛直に通る中心線に対称かつ中心線に沿って重心よりも低い位置に一対に配置されることも好ましい。
【０００９】
本発明に係る電池モジュール交換方法は、電池パックの少なくとも１つの電池モジュールを取り換える電池モジュール交換方法である。電池パックは、複数の電池モジュールとトレイと支持部とブラケットとボルトとを備える。複数の電池モジュールは、並べて配置されている。トレイは、複数の電池モジュールを支持する。支持部は、電池モジュールのそれぞれに対応してトレイに形成され、第１の雌ネジ部が形成された固定穴が頂部に開口されている。ブラケットは、電池モジュールから支持部の頂部に架け渡され固定穴に同軸に配置された貫通穴に第１の雌ネジ部の谷径よりも大きい内径を有した第２の雌ネジ部が形成されている。ボルトは、第１の雌ネジ部に適合する雄ネジ部を有し、貫通穴に通された状態で固定穴に螺合され、ブラケットを支持部に固定する。そして、この電池モジュール交換方法では、交換対象の電池モジュールに対応した支持部の固定穴からボルトを取外し、第２の雌ネジ部に適合するジャッキボルトを貫通穴に上方から装着し、このジャッキボルトを捩じ込むことで電池モジュールを傾ける。
【００１０】
このとき、ブラケットは、電池モジュールの重心を鉛直に通る中心線に対して対称となる一対に配置され、それぞれの貫通穴の中心を結ぶ線分が中心線に対してオフセットされる位置に貫通穴を有している場合には、ジャッキボルトを貫通穴に捩じ込むことで、中心線に対して貫通穴がオフセットされた方向と反対の方向へ交換対象の電池モジュールを傾ける。
【００１１】
また、ブラケットは、電池モジュールの重心を鉛直に通る中心線に対称となる一対にかつ中心線に沿って重心よりも低い位置に配置された貫通穴を有している場合には、ジャッキボルトを貫通穴に捩じ込み、電池モジュールを傾倒させたい方向へ押すことで、電池モジュールを傾ける。
【００１２】
また、交換対象の電池モジュールを傾ける側に他の電池モジュールが配置されている場合は、交換対象の電池モジュールを傾ける前に他の電池モジュールを交換対象の電池モジュールと同じ方法で傾ける。
【発明の効果】
【００１３】
本発明に係る電池パックによれば、電池モジュールからトレイへ延びたブラケットに、トレイの支持部に形成された第１の雌ネジ部の谷径よりも大きいな径の第２の雌ネジ部が形成された貫通穴が設けられている。したがって、固定穴の第１の雌ネジ部に適合した雄ネジ部を有したボルトをこの貫通穴に通した状態で螺合し支持部に対してブラケットを固定することもできるし、貫通穴の第２の雌ネジ部に適合するジャッキボルトを捩じ込み電池モジュールを傾けた状態に保持するなどのためにも利用することができる。
【００１４】
また、上記電池パックにおいて少なくとも１つの電池モジュールを交換する本発明に係る電池モジュール交換方法によれば、第１の雌ネジ部が形成された固定穴からボルトを外し、第１の雌ネジ部の谷径よりも大きい内径を有した第２の雌ネジ部が形成されている貫通穴に、この第２の雌ネジ部に適合するジャッキボルトを捩じ込むことで、電池パックを傾けた状態に保持することができるため、電池モジュールのいずれか１つを交換する作業において効率よく作業が行える。
【図面の簡単な説明】
【００１５】
【図１】本発明に係る第１の実施形態の電池パックの斜視図。
【図２】図１の３つの電池モジュールの斜視図。
【図３】図２の電池モジュールを支持部から外した分解斜視図。
【図４】図２の電池モジュールの２つを端子側に傾倒させた側面図。
【図５】本発明に係る第２の実施形態の電池パックの電池モジュールの斜視図。
【図６】図５の電池モジュールの上面図。
【図７】図５の電池モジュールを３つ並べた側面図。
【図８】図７の電池モジュールの２つを端子側に傾倒させた側面図。
【図９】本発明に係る第３の実施形態の電池パックの電池モジュールの側面図。
【図１０】図９の電池モジュールの２つを端子側に傾倒させた側面図。
【図１１】本発明に係る第４の実施形態の電池パックの電池モジュールの斜視図。
【図１２】図１１の電池モジュールを支持部から外した分解斜視図。
【図１３】図１１の電池モジュールの１つを端子と反対側に傾倒させた側面図。
【図１４】図１１の電池モジュールの１つを端子側に傾倒させた側面図。
【図１５】本発明に係る第５の実施形態の電池パックの電池モジュールの斜視図。
【図１６】図１５の電池モジュールの上面図。
【図１７】図１５の電池モジュールを３つ並べた側面図。
【図１８】図１７の電池モジュールの２つを端子側に傾倒させた側面図。
【図１９】本発明に係る第６の実施形態の電池パックの電池モジュールの斜視図。
【図２０】本発明に係る第７の実施系他の電池パックの電池モジュールの斜視図。
【図２１】図２０の電池モジュールの上面図。
【図２２】図２１の電池モジュールの支持部側から見た側面図。
【図２３】図２２の電池モジュールを支持部から外した分解斜視図。
【図２４】図２０の電池モジュールの１つを端子側にもう１つを反対側にそれぞれ傾倒させた側面図。
【発明を実施するための形態】
【００１６】
本発明に係る第１の実施形態の電池パック１について、図１から図４を参照して説明する。図１は、電動車両に搭載される電池パック１であって、複数の電池モジュール２が見えるようにケース３のカバー３１をトレイ３２から外した状態を示す分解斜視図である。電池モジュール２は、長辺を含む直方体に形成されており、内部にさらに複数の電池セルを複数収納している。電池モジュール２は、長辺を横切る方向に複数、図１では５つ、並べて配置されている。本明細書において、説明の便宜上、カバー３１側を「上」、トレイ３２側を「下」、長辺に沿う方向を「Ｘ」、長辺を横切る方向を「Ｙ」と定義する。
【００１７】
トレイ３２は、長辺を横切る方向（Ｙ方向）に並べられた複数の電池モジュール２を収納部に載置している。各電池モジュール２は、トレイ３２の支持部３３にブラケット４を介してボルト５で固定される。図１の場合は、長辺を横切る方向（Ｙ方向）に５つ並べた電池モジュール２の組を長辺に沿う方向（Ｘ方向）に２組収納している。２組の電池モジュール２の間の部分には、これらの電池モジュール２の充電及び放電を制御する制御部のほか、図１に図示された電池モジュール２以外の電池モジュールや、電池モジュール２の温度を調整する冷却装置などが収納される。
【００１８】
各電池モジュール２は、カバー３１寄りの角部に隣り合う電池モジュール２のうちの片側に面して電極端子２１Ａ，２１Ｂを有している。電池パック１に収納されている電池モジュール２は、この電極端子２１Ａ，２１Ｂをバスバー６によって直列に接続されている。Ｙ方向に並べられた電池モジュール２の両端に位置する電池モジュール２から延びるバスバーを除き、バスバー６は、図２に示すように片側の電極端子２１Ａから長辺に沿うＸ方向へ延び、反対側の電極端子２１Ｂに干渉しない位置で隣り合う電池モジュール２の上部を越えてその電池モジュール２の電極端子２１Ｂに接続されている。
【００１９】
電池モジュール２は、トレイ３２に形成された支持部３３に固定される。図２では、説明上分かりやすくするために、３つの電池モジュール２とそれに対応する支持部３３とを抜き出して図示する。支持部３３は、長辺の両端にそれぞれ位置する電池モジュール２の側部２２に対向して配置されており、図３に示すように第１の雌ネジ部Ｓ１が形成された固定穴３３１が頂部３３２に開口している。なお、支持部３３は、トレイ３２の側壁の内周面から内側に突出するように、トレイ３２の底部と側壁とにわたって一体に形成されていてもよいし、底部から立設されていてもよい。
【００２０】
ブラケット４は、図２に示すように、電池モジュール２の長辺の両端に位置する側部２２に一対に取り付けられ、電池モジュール２から支持部３３の頂部３３２に架け渡される。本実施形態では、ブラケット４は、電池モジュール２の重心２０を鉛直に通る中心線Ａに対して対称となる一対に配置されている。ブラケット４は、基部４１と保持部４２と貫通穴４３とを備える。基部４１は、電池モジュール２の側部２２に沿っており、締結具としてのボルト５で固定される。電池モジュール２側にスタッドボルトが設けられる場合は基部４１にボルト穴を設けてナットで固定する。
【００２１】
保持部４２は、図２に示すように、電池モジュール２の支持部３３の頂部３３２に被さる状態に延びている。保持部４２は、図４に示すように電池モジュール２の重心２０よりも低い位置に配置されている。したがって、支持部３３の頂部３３２も電池モジュール２の重心２０よりも低い位置に設けられている。図３に示すように貫通穴４３は、固定穴３３１に形成された第１の雌ネジ部Ｓ１の谷径よりも大きい内径を有した第２の雌ネジ部Ｓ２が形成される。図４に示すように本実施形態では、この貫通穴４３は、固定穴３３１と同軸に配置されている。
【００２２】
ボルト５は、第１の雌ネジＳ１に適合する雄ネジＴ１を有しており、保持部４２の少なくとも一部を挟んで固定穴３３１に螺合され、電池モジュール２をトレイ３２の支持部３３に固定する。本実施形態の場合、図３に示すように貫通穴４３が固定穴３３１と同軸に配置されている。また、ボルト５が第１の雌ネジＳ１に適合する雄ネジＴ１を有しており、ブラケット４の貫通穴４３には、ボルト５の雄ネジＴ１の山径よりも大きい内径の第２の雌ネジＳ２が形成されている。つまり、ボルト５の雄ネジ部Ｔ１には接触しない程度の内径を有する雌ネジ部Ｓ２が貫通穴４３に形成されている。したがって、ボルト５は、貫通穴４３に通された状態に固定穴３３１に螺合され、ブラケット４を支持部３３の頂部３３２に固定する。つまり、ブラケット４の貫通穴４３は、ボルト穴として利用される。
【００２３】
以上のように構成された電池パック１において、内蔵する複数の電池モジュール２の内の少なくとも１つの電池モジュール２を交換する必要が生じることがある。このとき、本実施形態の電池パック１における電池モジュール２の交換方法は、次のような手順で行うことができる。まず、交換対象となる電池モジュール２が図１においてＹ方向に並んだ一番外側に位置する場合、その電池モジュール２の電極端子２１Ａ，２１Ｂからバスバー６を外し、さらに電池モジュール２を支持部３３に固定しているボルト５を外す。
【００２４】
このとき隣り合っている他の電池モジュール２に対して、接続されているバスバー６を取り外すために隣り合う電池モジュール２との間に作業用のスペースを確保する必要がある場合は、図４に示すように、ブラケット４の貫通穴４３の第２の雌ネジ部Ｓ２に適合する雄ネジ部Ｔ２を有したジャッキボルト７を上方から貫通穴４３に装着する。ジャッキボルト７は、支持部３３の固定穴３３１の第１の雌ネジ部Ｓ１よりも軸径が大きいので、固定穴３３１に螺合されることなく、ブラケット４の貫通穴４３に螺合される。ジャッキボルト７は、支持部３３の頂部３３２に先端が突き当たることで、ブラケット４を介して電池モジュール２を支持部３３から持ち上げる。なお、ジャッキボルト７の先端が固定穴３３１の第１の雌ネジ部Ｓ１を傷つけないように、図４に示すように、丸みを帯びて形成されているとよい。本実施形態の場合、貫通穴４３が設けられているブラケット４の保持部４２は、電池モジュール２の重心２０の位置よりも低く、かつ、重心２０を鉛直に通る中心線Ａに対して対称となる位置に貫通穴４３を配置している。したがって、貫通穴４３にジャッキボルト７を捩じ込み電池モジュール２をジャッキボルト７で持ち上げる際に、長辺を横切るＹ方向において傾倒させたい方向へ、すなわち、作業スペースを確保したい側に対して反対側に電池モジュール２を押すことで、電池モジュールを傾ける。本実施形態の場合、図４に示すように電池モジュール２の電極端子２１Ａ，２１Ｂが配置されている側に電池モジュールを傾倒させている。
【００２５】
また、交換対象となる電池モジュール２が図１において、Ｙ方向に並んだ一番外側以外、すなわち、少なくとも１つ内側の電池モジュール２である場合、バスバー６やその他のセンサーなどのケーブル類を外すための作業スペースを確保するために、Ｙ方向に並んだ他の電池モジュール２を先に傾ける必要が生じる。具体的には、図４に示すように、交換対象の電池モジュール２を傾ける側に他の電池モジュール２が配置されている場合、交換対象の電池モジュール２を傾ける前に隣に配置されている他の電池モジュール２を、先に説明した交換対象の電池モジュール２を傾倒させるのと同じ方法で傾ける。したがって、Ｙ方向に２つ内側に交換対象の電池モジュール２が配置されている場合、一番外側の電池モジュール２を傾け、次にひとつ内側の隣の電池モジュール２を傾け、最後に交換対象の電池モジュール２を傾ける。隣り合う電池モジュール２どうしを接続しているバスバー６は、それぞれの電池モジュール２を傾けるときに適宜取り外される。
【００２６】
図４は、２つの電池モジュール２を傾けた状態を示している。電池モジュール２の重心２０は、電池モジュール２が支持部３３に固定されている状態では、固定穴３３１及びそこに螺合されたボルト５の中心線に沿う面上に位置しているのに対し、傾倒された状態では固定穴３３１の中心線に沿う面から外れるので、電池モジュール２は、この図４に示す傾倒された状態で安定する。したがって、傾けた電池モジュール２をそのままにして次の作業を進めることができ、作業性もよい。傾倒させた電池モジュールを元の状態に復旧させる場合は、ジャッキボルト７を上方へ抜き取る方向へ回せばよい。また、交換された電池モジュール２にも、ジャッキボルト７をブラケット４の貫通穴４３に装着しておき、トレイ３２に載置し、バスバー６やセンサーのケーブル類を復旧させた後でジャッキボルト７を取外す。
【００２７】
なお、図４では、電池モジュール２を電極端子２１Ａ，２１Ｂ側に傾倒させているが、本実施形態の構成であれば、電極端子２１Ａ，２１Ｂ側とは反対側に電池モジュール２を傾倒させることもできる。また、クレーンなどの揚重装置で交換対象の電池モジュール２を吊り上げられるように、ボルトの頭部にリングが形成されたいわゆる「アイボルト」をジャッキボルト７として利用してもよい。その場合、アイボルトは、リングが電池モジュール２の重心２０よりも高い位置にあるように十分に長いものを採用する。
【００２８】
第２から第７の実施形態の電池パック１について以下に説明する。第２から第７の実施形態において第１の実施形態の電池パック１と同じ機能を有する構成には、第１の実施形態の構成要素と同じ符号を付し、それらの詳細な説明は、第１の実施形態の記載を参酌することとする。また、電池パック１の全体的な構成については、第１の実施形態で記載した構造と同じであるので、支持部以外の構造について第２から第７の実施形態での記載を省略する。
【００２９】
第２の実施形態の電池パック１について、図５から図８を参照して説明する。第２の実施形態の電池パック１では、図５、図６及び図７に示すように電池モジュール２のブラケット４の貫通穴４３の位置及びこれに伴う支持部３３の固定穴３３１の位置が第１の実施形態の場合と異なっている。貫通穴４３は、それぞれのブラケット４の貫通穴４３の中心を結ぶ線分Ｂが電池モジュール２の重心を鉛直に通る中心線Ａに対してＹ方向へ幅Ｍだけオフセットされた位置になるように設けられている。第２の実施形態の場合、ブラケット４及び支持部３３が電池モジュール２の電極端子２１Ａ，２１Ｂに対してＹ方向に反対側へ幅Ｍだけオフセットされている。
【００３０】
ブラケット４に設けられた貫通穴４３には第１の実施形態と同様に、支持部３３の固定穴３３１に形成された第１の雌ネジ部Ｓ１の谷径よりも大きい内径の第２の雌ネジ部Ｓ２が設けられている。つまり、貫通穴４３は、固定穴３３１の第１の雌ネジ部Ｓ１に適合するボルト５の雄ネジ部Ｔ１が接触しない程度の内径を有している。この貫通穴４３は、固定穴３３１に対して同軸に配置され、第１の雌ネジ部Ｓ１に適合する雄ネジ部Ｔ１が設けられたボルト５が通されるボルト穴として利用される。ボルト５が支持部３３の固定穴３３１に螺合されることによって、電池モジュール２はトレイ３２に固定される。ブラケット４の保持部４２及びこの保持部４２が当接する支持部３３の頂部３３２は、電池モジュール２の重心２０よりも低い位置に配置されている。
【００３１】
以上のように構成された第２の実施形態の電池パック１において、複数の電池モジュール２のうちの少なくとも１つを交換する必要が生じた場合、バスバー６やその他のセンサーなどのケーブル類を外すために、隣り合う電池モジュール２どうしの間に作業用スペースを確保する必要が生じる。このような場合、第１の実施形態と同様に、ブラケット４を支持部３３に固定しているボルト５を外し、貫通穴４３の第２の雌ネジ部Ｓ２に適合した雄ネジ部Ｔ２を有したジャッキボルト７をこの貫通穴４３に捩じ込む。
【００３２】
本実施形態の場合、電池モジュール２の重心２０に対して長辺を横切るＹ方向へ、具体的には、電極端子２１Ａ，２１Ｂが設けられた側と反対側へ貫通穴４３が幅Ｍだけオフセットされているので、ジャッキボルト７を捩じ込むだけで、電池モジュール２は、図８に示すように貫通穴４３が幅Ｍだけオフセットされた側と反対側、すなわち電極端子２１Ａ，２１Ｂ側に傾く。電池モジュール２は、貫通穴４３が幅Ｍだけオフセットされている側と反対側に必ず傾倒するので、作業性が良い。
【００３３】
なお、電極端子２１Ａ，２１Ｂとは反対側に電池モジュール２を傾けたい場合、すなわち、Ｙ方向に並べられた電池モジュール２のうち電極端子２１Ａ，２１Ｂの反対側に一番外側に位置している電池モジュール２やその次の電池モジュール２を電極端子２１Ａ，２１Ｂに対して反対側に傾ける場合、ブラケット４の貫通穴４３を支持部３３とともに電極端子２１Ａ，２１Ｂ側にオフセットさせて配置すればよい。
【００３４】
第３の実施形態の電池パック１について、図９及び図１０を参照して説明する。第３の実施形態の電池パック１では、図９及び図１０に示すように電池モジュール２のブラケット４の保持部４２の位置及びこれに伴う支持部３３の頂部３３２の位置が第１の実施形態及び第２の実施形態の場合と異なっている。電池モジュール２の重心２０を鉛直に通る中心線Ａに対して貫通穴４３の中心を結ぶ線分Ｂが長辺を横切るＹ方向に、幅Ｍだけ貫通穴４３がオフセットされている点は、第２の実施形態と同じである。
【００３５】
第３の実施形態の場合、図９に示すように、ブラケット４の保持部４２は、電池モジュール２の重心２０に対して高い位置に配置され、これに伴い支持部３３の頂部３３２も同じく電池モジュール２の重心２０に対して高い位置に設けられている。保持部４２設けられた貫通穴４３が電池モジュール２の重心２０に対して幅Ｍだけオフセットされているので、図１０に示すように、貫通穴４３にジャッキボルト７を装着して電池モジュール２を傾ける場合でも、オフセットされている方向と反対側へ電池モジュール２が確実に傾く。本実施形態の場合、貫通穴４３は、Ｙ方向に電極端子２１Ａ，２１Ｂに対して反対側へ幅Ｍだけオフセットされているので、ジャッキボルト７を貫通穴４３に捩じ込むことで、電池モジュール２は、電極端子２１Ａ，２１Ｂ側へ傾く。
【００３６】
第１の実施形態に対して第２及び第３の実施形態を比較してわかるように、貫通穴４３の位置が電池モジュール２に対して長辺を横切るＹ方向に幅Ｍだけオフセットされていれば、ブラケット４の保持部４２及びこれと当接する支持部３３の頂部３３２が電池モジュール２の重心２０に対して低い位置であっても高い位置であっても、同様の効果を得ることができる。
【００３７】
第４の実施形態の電池パック１について、図１１から図１４を参照して説明する。第４の実施形態の電池パック１では、図１１及び図１２に示すように電池モジュール２のブラケット４の貫通穴４３の位置及び数、またこれに伴うトレイ３２の支持部３３の固定穴３３１の位置及び数、さらに固定穴３３１に装着されるボルト５の数が第１から第３の実施形態の場合と異なっている。電池モジュール２をトレイ３２に対してしっかりと固定するために、各ブラケット４を複数のボルト５で支持部３３に固定することも有る。本実施形態では、２本のボルト５を用いて各ブラケット４を支持部３３に固定している。
【００３８】
図１２に示すように、支持部３３は、２本のボルト５を螺合するための固定穴３３１が２つずつ設けられる。ブラケット４は、支持部３３の固定穴３３１と同軸上にすなわち２つの貫通穴４３を有している。ブラケット４は、電池モジュール２の重心２０を鉛直に通る中心線Ａに対して対称となる位置に配置されている。２つの貫通穴４３は、固定穴３３１の第１の雌ネジ部Ｓ１の谷径よりも大きい内径の第２の雌ネジ部Ｓ２が設けられている。つまり、貫通穴４３は、固定穴３３１の第１の雌ネジ部Ｓ１に適合する雄ネジ部Ｔ１を有したボルト５が接触しない程度の内径を有している。２本のボルト５は、それぞれ貫通穴４３を通した状態で固定穴３３１に螺合され、電池モジュール２をトレイ３２に固定する。
【００３９】
各貫通穴４３は、図１１、図１３及び図１４に示すように、電池モジュール２の重心２０を鉛直に通る中心線Ａに対し、長辺を横切るＹ方向へそれぞれ両側へ幅Ｍだけオフセットされた位置に配置されている。また、ブラケット４の保持部４２は、電池モジュール２の重心２０の位置よりも低い地に配置され、これに伴い、トレイ３２の支持部３３の頂部３３２も電池モジュール２の重心２０の位置よりも低い。
【００４０】
以上のように構成された第４の実施形態の電池パック１において、複数の電池モジュール２のうちの少なくとも１つの電池モジュール２を交換する必要が生じ、バスバー６やその他のセンサーなどのケーブル類を外すために隣り合う電池モジュール２どうしの間に作業用スペースを確保する必要が生じることがある。このような場合に本実施形態では、他の実施形態と同様にボルト５を全て取り外し、貫通穴４３のどちらか一方にジャッキボルト７を装着する。
【００４１】
例えば長辺を横切るＹ方向に電極端子２１Ａ，２１Ｂとは反対方向へ電池モジュール２を傾けたい場合、図１３に示すように、電極端子２１Ａ，２１Ｂが設けられている側に幅Ｍだけオフセットされている貫通穴４３にジャッキボルト７を捩じ込む。ジャッキボルト７の先端が支持部３３の頂部３３２に突き当たり、ジャッキボルト７が装着された側と反対側へ、すなわち電極端子２１Ａ，２１Ｂが設けられた側と反対側へ電池モジュール２を傾けることができる。
【００４２】
また、例えば長辺を横切るＹ方向に電極端子２１Ａ，２１Ｂが設けられた側へ電池モジュール２を傾けたい場合、図１４に示すように、電極端子２１Ａ，２１Ｂが設けられた側と反対側へ幅Ｍだけオフセットされている貫通穴４３にジャッキボルト７を捩じ込む。ジャッキボルト７の先端が支持部３３の頂部３３２に突き当たり、ジャッキボルト７が装着された側と反対側へ、すなわち電極端子２１Ａ，２１Ｂが設けられた側へ電池モジュール２を傾けることができる。
【００４３】
なお、本実施形態では、電池モジュール２の重心２０の位置に対してブラケット４の保持部４２は、低い位置に配置されている。貫通穴４３の位置は、電池モジュール２の重心２０に対して長辺を横切るＹ方向へ幅Ｍだけオフセットされているので、第３の実施形態の場合のようにブラケット４の保持部４２が電池モジュール２の重心２０に対して高い位置に配置されていても同じ機能及び効果を発揮する。
【００４４】
第５の実施形態の電池パック１について、図１５から図１８を参照して説明する。第５の実施形態の電池パック１では、図１５及び図１６に示すようにブラケット４が貫通穴４３を外れた位置にボルト５が通されるボルト穴４４をさらに有している。したがって、このボルト穴４４に同軸上に支持部３３の固定穴３３１が開口している。つまり、ボルト５は、このボルト穴４４を通して固定穴３３１に螺合されることで、ブラケット４を支持部３３に固定する。本実施形態の場合、ボルト穴４４は、電池モジュール２の重心２０を鉛直に通る中心線Ａに対して対称となる位置に配置され、ボルト穴４４の中心を結ぶ線分Ｃは、中心線Ａに交わるように配置される。
【００４５】
第５の実施形態において、貫通穴４３を外れた位置にボルト穴４４が配置されるので、図１５及び図１６に示すように、貫通穴４３は、必然的に電池モジュール２の重心２０を鉛直に通る中心線Ａに対して、貫通穴４３の中心を結ぶ線分Ｂが長辺を横切るＹ方向へ幅Ｍだけオフセットされた状態となる。本実施形態では、図１６に示すように貫通穴４３とボルト穴４４はそれぞれ１つずつ各ブラケットに設けられており、貫通穴４３は、図１７に示すようにＹ方向に電極端子２１Ａ，２１Ｂと反対側に、電池モジュール２の重心２０及びボルト穴４４に対して幅Ｍだけオフセットされた状態である。第５の実施形態において貫通穴４３は、図１８に示すように支持部３３の頂部３３２に突き当たるジャッキボルト７を装着するための第２の雌ネジ部Ｓ２が形成された穴であって、電池モジュール２を支持部３３に固定するボルト５を通す穴として利用されない。
【００４６】
以上のように構成された電池パック１において、複数の電池モジュール２の内の少なくとも１つを交換する必要が生じた場合、他の実施形態と同様に、ボルト５を固定穴３３１から取り外し、貫通穴４３にジャッキボルト７を上方から捩じ込む。ジャッキボルト７の先端が支持部３３の頂部３３２に突き当たることで、図１８に示すように電池モジュール２を傾けることができる。第５の実施形態の場合、電極端子２１Ａ，２１Ｂと反対側に電池モジュール２の重心２０よりも幅Ｍだけオフセットされた位置に貫通穴４３が設けられているので、ジャッキボルト７を捩じ込むことで、電池モジュール２を電極端子２１Ａ，２１Ｂ側へ傾けることができる。また、電池モジュール２を交換する場合に備えて予め電池モジュール２を傾ける側が設定されている場合、電池モジュール２を傾ける側と反対側に重心２０に対してＹ方向へ幅Ｍだけオフセットされるように貫通穴４３を配置してもよい。
【００４７】
なお、ボルト穴４４は、電池モジュール２の重心２０を鉛直に通る中心線Ａに対してボルト穴４４の中心を結ぶ線分Ｃが交わるように配置されていなくてもよい。つまり、第１の実施形態のように貫通穴４３の中心を結ぶ線分Ｂが重心２０を鉛直に通る中心線Ａと交わるように配置されていてもよい。貫通穴４３の中心を結ぶ線分Ｂが電池モジュール２の重心２０を鉛直に通る中心線Ａに交差する配置である場合、長辺を横切るＹ方向に貫通穴４３を挟む両側にボルト穴４４を設けてもよい。
【００４８】
第６の実施形態の電池パック１について、図１９を参照して説明する。第６の実施形態の電池パック１では、図１９に示すように、電池モジュール２の重心２０を鉛直に通る中心線Ａに対してボルト穴４４の中心を結ぶ線分Ｃが交差するようにボルト穴４４が配置されており、長辺を横切るＹ方向にボルト穴４４の両側に貫通穴４３がブラケット４の保持部４２に設けられている。したがって、図１９に示すように、電池モジュール２をＹ方向のどちらかへ傾けたい場合、傾けたい側と反対側の貫通穴４３にジャッキボルト７を捩じ込めばよい。
【００４９】
図１９では、長辺を横切るＹ方向に３つの電池モジュール２が図示されており、中央の電池モジュール２に対して隣り合う電池モジュール２は、それぞれ中央の電池モジュール２から離れる方向に傾けられている。作業の状況に合わせてどちら側にも傾けることができるので、作業効率が向上する。
【００５０】
第７の実施形態の電池パック１について、図２０から図２４を参照して説明する。第７の実施形態の電池パック１では、図２０、図２１及び図２３に示すように、電池モジュール２のブラケット４に設けられる貫通穴４３及びボルト穴４４の詳細が他の実施形態と異なっている。本実施形態の電池モジュール２のブラケット４は、支持部３３の頂部３３２に突き当たるジャッキボルト７を装着するための雌ネジ部Ｓが形成された貫通穴４３がボルト穴４４とは別にブラケット４の保持部４２に配置されている点において第６の実施形態と同じである。
【００５１】
具体的には、ボルト穴４４は、図２１及び図２２に示すようにこれらの中心を結ぶ線分Ｃが電池モジュール２の重心２０を鉛直に通る中心線Ａに交差するように配置され、貫通穴４３は、長辺を横切るＹ方向にこのボルト穴４４の両側に、電池モジュール２の重心２０を鉛直に通る中心線Ａに対してＹ方向へ幅Ｍだけオフセットされた位置にそれぞれ配置されている。
【００５２】
本実施形態の場合、この貫通穴４３に設けられた雌ネジ部Ｓは、図２３に示すように、支持部３３の固定穴３３１に形成された雌ネジ部Ｓと同じ大きさに形成されている。固定穴３３１に装着されるボルト５は、固定穴３３１の雌ネジ部Ｓに適合する雄ネジ部Ｔを有しているので、固定穴３３１の雌ネジ部Ｓと同じ大きさの貫通穴４３の雌ネジ部Ｓにも適合する。したがって、このボルト５は、ボルト穴４４に通されてブラケット４を支持部３３に固定するとともに、貫通穴４３に装着することで、ジャッキボルト７として流用することもできる。つまり、ジャッキボルト７を別途用意しなくてもよい。
【００５３】
ブラケット４の保持部４２は、図２２に示すように、電池モジュール２の重心２０の位置よりも低い位置に配置されており、これに対応する支持部３３の頂部３３２も同じく重心２０の位置よりも低い位置にある。本実施形態の場合、電池モジュール２の重心２０を鉛直に通る中心線Ａに対して、ボルト穴４４の中心を結ぶ線分Ｃが交わるようにボルト穴４４が配置され、長辺を横切るＹ方向へ幅Ｍだけオフセットされた位置であるボルト穴４４の両側に貫通穴４３が配置されている。したがって、第３の実施形態のように、保持部４２が電池モジュール２の重心２０よりも高い位置に配置されていてもよい。なお、電池モジュール２を傾倒させる方向が予め設定されている場合、貫通穴４３は、傾倒させる方向と反対側に１つ設ければよい。
【００５４】
以上のように構成された第７の実施形態の電池パック１において、複数の電池モジュール２の内少なくとも１つの電池モジュール２を交換する必要が生じ、バスバー６やその他のセンサー等のケーブル類を外すために隣り合う電池モジュール２どうしの間に作業スペースを確保する必要が生じることがある。このような場合に本実施形態では、他の実施形態と同様にボルト５を取り外し、このボルト５をジャッキボルト７として、電池モジュール２を傾倒させたい側と反対側の貫通穴４３に捩じ込む。ボルト５の先端が支持部３３の頂部３３２に突き当たることで、ボルト５が捩じ込まれた側と反対側に電池モジュール２が傾く。
【００５５】
図２４では、長辺を横切るＹ方向に３つの電池モジュール２が並べられており、この中央の電池モジュール２に対して両隣の電池モジュール２をそれぞれ中央の電池モジュール２から離れる方向へ傾けた状態を示している。このように、本実施形態の電池パック１では、電池モジュール２を所望するどちらにでも傾倒させることができる。また、電池モジュール２を支持部３３に固定するために使用していたボルト５を、作業状況に応じて電池モジュール２を傾ける方とは逆の貫通穴４３にジャッキボルト７として捩じ込むことができるため、ジャッキボルト７を別途用意する必要が無く、作業効率もよい。
【００５６】
以上、本発明に係る電池パック１について第１から第７の実施形態を用いて説明した。各実施形態は、本発明を理解しやすくするために代表的に示したのであって、これらの実施形態に本発明の電池パック１が限定されることを意図していない。また、個々の実施形態において異なる構成であっても、他の実施形態にも応用可能であるものについては組み合わせて実施することが可能であり、それらも本発明の範囲に含まれる。また、第５から第７の実施形態において、貫通穴４３とは別にボルト穴４４を設ける場合、１つのブラケット４の保持部４２に貫通穴４３とボルト穴４４を設けることは必須ではない。それぞれ異なるブラケットを用意しそこにここに設けられていてもよい。
【００５７】
なお、本発明に係る他の実施形態の電池パックとして以下に記すように、ジャッキボルトに適合する雌ネジ部がブラケットに設けられていることを基に構成された電池パックの一群であってもよい。
【００５８】
［Ａ１］  並べて配置された複数の電池モジュールと、これらの複数の前記電池モジュールを支持するトレイと、前記電池モジュールのそれぞれに対応して前記トレイに一体に形成された支持部と、前記電池モジュールから前記支持部の頂部に架け渡されたブラケットと、前記ブラケットを前記頂部に固定するボルトと、を備える電池パックであって、前記ブラケットは、前記頂部に突き当たるジャッキボルトを装着するための雌ネジ部が形成された貫通穴を有している電池パック。
【００５９】
［Ａ２］  前記ブラケットは、前記電池モジュールの重心を鉛直に通る中心線に対して対称となる一対に配置され、前記貫通穴の中心を結ぶ線分が前記中心線に対してオフセットされた位置に前記貫通穴を有する［Ａ１］に記載された電池パック。
【００６０】
［Ａ３］  前記ブラケットは、前記電池モジュールの重心を鉛直に通る中心線に対称かつ前記中心線に沿って前記重心よりも低い位置に一対に配置される［Ａ１］に記載された電池パック。
【００６１】
［Ａ４］  前記ブラケットは、前記貫通穴から外れた位置に前記ボルトが通されるボルト穴を有する［Ａ１］から［Ａ３］のいずれか１つに記載された電池パック。
【００６２】
［Ａ５］  前記ブラケットは、前記電池モジュールの重心を鉛直に通る中心線に対称となる位置に前記ボルト穴を有していることを特徴とする［Ａ４］に記載された電池パック。
【００６３】
［Ａ６］  前記ブラケットは、前記ボルト穴の中心を結ぶ線分を跨ぐ一対に２つの前記貫通穴をそれぞれに有している［Ａ５］に記載された電池パック。
【００６４】
［Ａ７］  前記ブラケットは、前記ボルトの雄ネジ部に適合する雌ネジ部を前記貫通穴に有している［Ａ４］から［Ａ６］のいずれか１つに記載された電池パック。
【００６５】
［Ａ８］  前記ブラケットは、前記ボルトの雄ネジ部の山径よりも大きい内径の雌ネジ部を前記貫通穴に有し、前記ボルトは、前記貫通穴を通して前記ブラケットを前記支持部に固定する［Ａ１］から［Ａ３］のいずれか１つに記載された電池パック。
【００６６】
［Ａ９］  長辺を含む直方体に形成された複数の電池モジュールと、前記長辺を横切る方向に複数の前記電池モジュールを並べて載置するトレイと、前記長辺の両端に位置する前記電池モジュールのそれぞれの側部に対向して前記トレイに一体に形成され第１の雌ネジ部が形成された固定穴が頂部に開口した支持部と、前記電池モジュールのそれぞれの側部に取り付けられ、前記支持部の頂部に被さって延びた保持部、及び、前記支持部の前記頂部に突き当たるように装着されるジャッキボルトの雄ネジ部に適合する第２の雌ネジ部が形成された貫通穴を有するブラケットと、前記第１の雌ネジ部に適合する雄ネジ部を有し前記保持部の少なくとも一部を挟んで前記固定穴に螺合され前記電池モジュールを前記トレイに固定するボルトと、を備える電池パックの少なくとも１つの前記電池モジュールを取り換える電池モジュール交換方法であって、交換対象の前記電池モジュールに対応した前記固定穴から前記ボルトを取外し、前記ジャッキボルトを前記貫通穴に上方から装着し、前記ジャッキボルトを捩じ込むことで前記長辺を横切る方向へ前記電池モジュールを傾ける電池モジュール交換方法。
【００６７】
［Ａ１０］  前記ブラケットは、前記電池モジュールの重心を鉛直に通る中心線に対称となる位置に一対に配置されて、それぞれの前記貫通穴の中心を結ぶ線分が前記中心線に対してオフセットされた位置に前記貫通穴を有し、前記ジャッキボルトを前記貫通穴に捩じ込むことで、前記中心線に対して前記貫通穴がオフセットされた方向と反対の方向へ交換対象の前記電池モジュールを傾ける［Ａ９］に記載された電池モジュール交換方法。
【００６８】
［Ａ１１］  前記ブラケットは、前記電池モジュールの重心を鉛直に通る中心線に対称となる一対にかつ前記中心線に沿って前記重心よりも低い位置に配置された前記貫通穴を有し、前記ジャッキボルトを前記貫通穴に捩じ込み、前記長辺を横切る方向に傾倒させたい方向へ押すことで、前記電池モジュールを傾ける［Ａ９］に記載された電池モジュール交換方法。
【００６９】
［Ａ１２］  前記ブラケットは、前記電池モジュールの重心を鉛直に通る中心線に対称となる位置に前記ボルトが通されるボルト穴を有し、前記貫通穴の中心を結ぶ線分が前記中心線に対してオフセットされた位置に前記貫通穴を有する［Ａ９］に記載された電池モジュール交換方法。
【００７０】
［Ａ１３］  前記ブラケットは、前記ボルト穴の中心を結ぶ線分を跨ぐ一対に２つの前記貫通穴をそれぞれに有し、前記電池モジュールを傾倒させたい方向とは反対側の前記貫通穴にそれぞれ前記ジャッキボルトを捩じ込むことで、前記電池モジュールを傾ける［Ａ１２］に記載された電池モジュール交換方法。
【００７１】
［Ａ１４］  前記ブラケットは、前記ボルトの雄ネジ部に適合する雌ネジ部を前記貫通穴に有し、前記固定穴から外した前記ボルトを前記ジャッキボルトとして前記貫通穴に捩じ込むことで、前記長辺を横切る方向へ前記電池モジュールを傾ける［Ａ１２］または［Ａ１３］に記載された電池モジュール交換方法。
【００７２】
［Ａ１５］  前記ブラケットは、前記ボルトの雄ネジ部の山径よりも大きい内径の雌ネジ部を前記貫通穴に有し、前記ボルトは、前記貫通穴を通して前記固定穴に螺合されて前記ブラケットを前記支持部に固定するとともに、交換対象となる前記電池モジュールを取り外す際は、交換対象となる前記電池モジュールの前記ボルトを前記固定穴から取り外し、前記雌ネジ部に適合するジャッキボルトを前記貫通穴に捩じ込むことで、前記長辺を横切る方向に前記電池モジュールを傾ける［Ａ９］から［Ａ１１］のいずれか１つに記載された電池モジュール交換方法。
【００７３】
［Ａ１６］  交換対象となる前記電池モジュールを傾ける側に他の前記電池モジュールが配置されている場合は、交換対象の前記電池モジュールを傾ける前に他の前記電池モジュールを交換対象の前記電池モジュールと同じ方法で傾ける［Ａ９］から［Ａ１５］のいずれか１つに記載された電池モジュール交換方法。
【００７４】
さらに、本発明に係る他の実施形態の電池パックとして以下に記すように、電池モジュールの重心位置とブラケットの貫通穴の位置関係を基に構成された電池パックの一群であってもよい。
【００７５】
［Ｂ１］  並べて配置された複数の電池モジュールと、これらの複数の前記電池モジュールを支持するトレイと、前記電池モジュールのそれぞれに対応して前記トレイに一体に形成された支持部と、前記電池モジュールから前記支持部の頂部に架け渡されたブラケットと、前記ブラケットを前記頂部に固定するボルトと、を備える電池パックであって、前記支持部は、前記電池モジュールの重心よりも低い位置に前記頂部を有し、前記ブラケットは、前記頂部に重なる範囲内に雌ネジ部が形成された貫通穴を少なくとも有している電池パック。
【００７６】
［Ｂ２］  前記ブラケットは、前記電池モジュールの中心を鉛直に通る中心線に対して対称となる一対に配置され、前記貫通穴の中心を結ぶ線分が前記中心線に対してオフセットされた位置に前記貫通穴を有する［Ｂ１］に記載された電池パック。
【００７７】
［Ｂ３］  並べて配置された複数の電池モジュールと、これらの複数の前記電池モジュールを支持するトレイと、前記電池モジュールのそれぞれに対応して前記トレイに一体に形成された支持部と、前記電池モジュールから前記支持部の頂部に架け渡されたブラケットと、前記ブラケットを前記頂部に固定するボルトと、を備える電池パックであって、前記ブラケットは、前記電池モジュールの重心を鉛直に通る中心線に対して対象となる位置からオフセットされた位置に、雌ネジ部が形成された貫通穴を少なくとも有している電池パック。
【００７８】
［Ｂ４］  前記支持部は、前記電池モジュールの重心よりも低い位置に頂部を有している［Ｂ３］に記載された電池パック。
【００７９】
［Ｂ５］  前記ブラケットは、前記ボルトの雄ネジ部とは接触しない程度の内径の前記貫通穴を有し、前記ボルトは、前記貫通穴を通して前記支持部に前記ブラケットを固定する［Ｂ１］から［Ｂ４］のいずれか１つに記載された電池パック。
【００８０】
［Ｂ６］  前記ブラケットは、前記貫通穴から外れた位置に前記ボルトが通されるボルト穴を有する［Ｂ１］から［Ｂ４］のいずれか１つに記載された電池パック。
【００８１】
［Ｂ７］  前記ブラケットは、前記ボルトの雄ネジ部に適合する雌ネジ部を前記貫通穴に有している［Ｂ６］に記載された電池パック。
【００８２】
［Ｂ８］  前記ブラケットは、前記電池モジュールの重心を鉛直に通る中心線に対称の位置に前記ボルト穴を有している［Ｂ６］または［Ｂ７］に記載された電池パック。
【００８３】
［Ｂ９］  前記ブラケットは、前記ボルト穴の中心を結ぶ線分を跨ぐ一対に２つの前記貫通穴をそれぞれに有している［Ｂ８］に記載された電池パック。
【００８４】
さらに、本発明に係る他の実施形態の電池パックとして以下に記すように、電池モジュールをブラケットを介して固定するボルトとこのブラケットの貫通穴との関係を基に構成された電池パックの一群であってもよい。  
［Ｃ１］  並べて配置された複数の電池モジュールと、これらの複数の前記電池モジュールを支持するトレイと、前記電池モジュールのそれぞれに対応して前記トレイに形成された支持部と、前記電池モジュールから前記支持部の頂部に架け渡されたブラケットと、前記ブラケットを前記支持部に固定するボルトと、を備える電池パックであって、前記ブラケットは、前記ボルトの雄ネジ部の山径よりも大きい内径を有する雌ネジ部が形成された貫通穴を有している電池パック。  
［Ｃ２］  前記ブラケットは、前記貫通穴を外れた位置に前記ボルトが通されるボルト穴をさらに有する［Ｃ１］に記載された電池パック。  
［Ｃ３］  前記ブラケットは、前記電池モジュールの重心を鉛直に通る中心線に対称となる位置に配置されて、それぞれの前記ボルト穴の中心を結ぶ線分が前記中心線と交差する位置に前記ボルト穴を有するとともに、前記ボルト穴の中心を結ぶ線分を跨いだ状態で一対の前記貫通穴をそれぞれに有している［Ｃ２］に記載された電池パック。
【符号の説明】
【００８５】
１…電池パック、２…電池モジュール、２０…重心、２２…側部、３２…トレイ、３３…支持部、３３１…固定穴、３３２…頂部、４…ブラケット、４２…保持部、４３…貫通穴、４４…ボルト穴、５…ボルト、７…ジャッキボルト、Ｓ１…第１の雌ネジ部、Ｓ２…第２の雌ネジ部、Ｓ…雌ネジ部、Ａ…中心線、Ｂ…（貫通孔の中心を結ぶ）線分、Ｃ…（ボルト穴の中心を結ぶ）線分、Ｔ１…（第１の雌ネジ部に適合する）雄ネジ部、Ｔ２…（第２の雌ネジ部に適合する）雄ネジ部、Ｍ…（オフセットされる）幅。
【図１】
0006558125.tif 000002
【図２】
0006558125.tif 000003
【図３】
0006558125.tif 000004
【図４】
0006558125.tif 000005
【図５】
0006558125.tif 000006
【図６】
0006558125.tif 000007
【図７】
0006558125.tif 000008
【図８】
0006558125.tif 000009
【図９】
0006558125.tif 000010
【図１０】
0006558125.tif 000011
【図１１】
0006558125.tif 000012
【図１２】
0006558125.tif 000013
【図１３】
0006558125.tif 000014
【図１４】
0006558125.tif 000015
【図１５】
0006558125.tif 000016
【図１６】
0006558125.tif 000017
【図１７】
0006558125.tif 000018
【図１８】
0006558125.tif 000019
【図１９】
0006558125.tif 000020
【図２０】
0006558125.tif 000021
【図２１】
0006558125.tif 000022
【図２２】
0006558125.tif 000023
【図２３】
0006558125.tif 000024
【図２４】
0006558125.tif 000025